Podtech/llm-jp-corpus-v4-ja_patent huggingface dataset:
(57)【要約】【課題】従来から、自然エネルギーを利用した発電には、水力・風力・太陽光・海洋発電等があるが、いずれも設置可能場所の範囲に限界があり、自然環境に左右され発電量も一定とは限らない。一方、重力を利用した発電方法には、特開２００８−１３３７９９号公報に開示された技術があるが、この技術は広くは実用化されていない。【解決手段】本発明は、上部に主プーリ、転換プーリ、および発電装置を設け、下部には主導部を配設し、主プーリから導線を振り分け、主導部内に取り付けた構造の発電装置である。【選択図】    図１
2017089588.tif 000002
【特許請求の範囲】
【請求項１】
上部に主プーリ、転換プーリ、キア、および発電機よりなる発電部を、下部には主導部を配設し、主プーリから導線を振り分け、主導部内に取り付けた構造の発電装置
【発明の詳細な説明】
【技術分野】
【０００１】
本発明は、重力を主体とした発電装置に関する。
【背景技術】
【０００２】
従来から、自然エネルギーを利用した発電には、水力・風力・太陽光・海洋発電等があるが、いずれも設置可能場所の範囲に限界があり、自然環境に左右され発電量も一定とは限らない。一方、重力を利用した発電方法には、特開２００８−１３３７９９号公報に開示された技術があるが、資本費が高くなるためか、この技術は実用化されていない。
【先行技術文献】
【特許文献】
【０００３】
【特許文献１】特開２００８−１３３７９９号公報
【発明の概要】
【発明が解決しようとする課題】
【０００４】
資本費が高くなく、設置、保守が容易な、自然環境に左右されない発電方法は実用化していない。本発明では、重力を主体とした発電装置の開発を課題とする。
【課題を解決するための手段】
【０００５】
上記した課題を解決する本発明は、上部に主プーリ、転換プーリ、キア、および発電機よりなる発電部を、下部には主導部を配設し、主プーリから導線を振り分け、主導部内に取り付けた構造の発電装置である。
【発明の効果】
【０００６】
本発明の重力を主体とした発電装置は自然エネルギーだが自然環境に左右されず、一定の電力を得ることができ、資本費が低く、保守が簡単で、設置可能場所の範囲も広いという利点がある。
【図面の簡単な説明】
【０００７】
【図１】本発明の装置全体を示す図である。
【図２】本発明の装置の主導部を示す図である。
【図３】本発明の装置の発電部を示す他の図である。
【図４】本発明の装置の発電部を示す他の図である。
【発明を実施するための形態】
【実施例】
【０００８】
図１〜図４に本発明の装置を示し、その操作を説明する。
【０００９】
図１は本発明の重力を主体とした発電装置の全体を示した図である。図２は図１において矢印側から見た図であり、左主導部２３を示したものである。
【００１０】
先ず図２に示すモータ２１を始動し、左モータプーリ１２と左ボビン１１を詰合して、左ボビン１１を回転し、導線１の巻き取りを行う。他方、図1に示す右ボビン１５は、モータ８（図示せず）を停止し、右モータプーリ１６と詰合を切り離し、空転状態とするため、左ボビン１１の巻き取りに伴い、右ボビン１５からは、導線１のみが引き上げられる。次には、上記の動作の左右を交替させ、以後は連続して可動する構成とした。
【００１１】
尚、上記の説明の一部を繰り返すと、左側の主導部２３には、全体の重力が導線１に重く伝わるのに対して、右側は主導部２４においては、右ボビン１５が空転状態となるため、全く導線１に重力がつたわらないため、左右の重力差が大きく、これにより、主プーリ２、転換プーリ３に対して強力な回転力を伝える構成としたものである。
【００１２】
尚、図２に示す通り、主導部２３はシャフト１９の両端左右に腕部７を設け、根元の部分を支点９として、シャフト上の装置は一定の間に限り上下できる余裕を持たせたもので、理由は左ボビン１１が巻き取り時、引き上げる時には、回転速度にむらを生じ常に一定速度の回転は困難であり、主プーリ２と主導部１５との均衡状態を保つための腕部７を設けた。
【００１３】
図３、図４に発電装置を示す。この装置は、主プーリ２と転換プーリ３の回転方向の調整を行うもので、主プーリ２と転換プーリ３の回転方向を同一とする場合は転換プーリのシャフト５を連結し、逆回りとする場合は、ギア、チェーン、チェーンギヤにより、同一方向に回転させるようにしたものである。発電機シャフトは転換プーリ３に連結されているため、常に一定の方向に回転する。
【００１４】
さら詳細に説明すると、例えば、主プーリ２が右回転時は転換プーリ３を転換プーリのシャフトの接合部６の接合に依って右回転し、主プーリ２が左回転時には噛合いの主プーリのギャ７、ギャ８を回転させ、これに連動するチェーン９を回転させることに依り、同軸の転換プーリ３を右回転させる。その結果、転換プーリ３の回転方向は主プーリ２の往復回転時にも常に一方向回転となる。これにより、転換プーリ３により、発電機１１に常に一定方向（例えば右方向）の回転力を与えることができる。
【産業上の利用可能性】
【００１５】
本発明は、機械産業に、新たな市場を提供する。また、安価なエネルギーの供給により、種々の産業のコスト削減に寄与することが期待される。
【符号の説明】
【００１６】
１  導線
２  主プーリ
３  転換プーリ
４  主プーリのシャフト
５  転換プーリのシャフト
６  転換プーリのシャフトの接合部
７  主プーリのギャ１
８  主プーリのギャ２
９  チェーン
１０  発電機
１１  左ボビン
１２  左モータプーリ
１３  左重り
１４  左腕部
１５  右ボビン
１６  右モータプーリ
１７  右重り
１８  右腕部
１９  主導部
２０  ストッパ
２１  モータ
２２  支点
２３  左側主導部
２４  右側主導部
【図１】
2017089588.tif 000003
【図２】
2017089588.tif 000004
【図３】
2017089588.tif 000005
【図４】
2017089588.tif 000006
(57)【要約】【課題】  従来の宇宙機の永久磁石による姿勢制御は、安定目的の受動的なもので、機体を任意の方向へ向ける事は出来なかった。  従来の三軸に固定された電磁石を使った軌道制御は、トルクがほぼ一軸電磁石分しか得られなず、小さかった。超伝導磁石は磁力調整が難しい。  推進剤を使った制御は、精度が低く、搭載料に限りがあった。【解決手段】  上記目的を達成するために、本発明は、複数の磁石を、個々に任意の方向へ回転させる事により宇宙機の姿勢制御及び軌道制御を行なう、という方法を提供する。【選択図】図３
2017089655.tif 000002
【特許請求の範囲】
【請求項１】
複数の磁石を個々に任意の方向へ回転させる事により、宇宙機の姿勢制御、及び軌道制御を行なう、という方法。
【発明の詳細な説明】
【技術分野】
【０００１】  本発明は、複数の磁石を個々に任意の方向へ回転させる事により、宇宙機の姿勢制御、及び軌道制御を行なう、という方法に関するものである。
【背景技術】
【０００２】  従来の宇宙機の永久磁石による姿勢制御は、安定目的の受動的なもので、機体を任意の方向へ向ける事は出来なかった。【０００３】  従来の三軸に固定された電磁石を使った軌道制御は、トルクがほぼ一軸電磁石分しか得られなず、小さかった。超伝導磁石は磁力調整が難しい。【０００４】  推進剤を使った制御は、精度が低く、搭載料に限りがあった。
【先行技術文献】
【非特許文献】
【０００５】ウィキペディア日本語、「姿勢制御」「超伝導電磁石」「磁気トルカ」
【発明の概念】
【発明が解決しようとする課題】
【０００６】  しかしながら、従来の宇宙機の永久磁石による姿勢制御では、機体を任意の方向へ向ける事は出来ず、固定された電磁石を使った軌道制御はトルクが小さかった。超伝導磁石は磁力調整が難しい。
【０００７】  また、従来の推進剤を使った軌道制御は、搭載料に限りがあった。
【課題を解決するための手段】
【０００８】  そして、上記目的を達成するために、本発明は、複数の磁石を、個々に任意の方向へ回転させる事により宇宙機の姿勢制御及び軌道制御を行なう、という方法を特徴とする。
【発明の効果】
【０００９】  上述したように本発明は、複数の磁石を個々に任意の方向へ回転させる事により、宇宙機の姿勢制御及び軌道制御を行なう、という方法を提供する。
【００１０】  また、本発明は、超伝導磁石の磁力一定での使用を可能とする。
【図面の簡単な説明】
【００１１】
【図１】本発明に複数使用される磁石１の１個体の概念図。
【図２】３個の磁石１を宇宙機２に取り付け、磁場の影響を相殺した場合の一例の概念図。
【図３】宇宙機２を、地球３に対し近づけようとする場合の一例の概念図。
【発明を実施するための形態】
【００１２】  以下、本発明の一実施形態を、図に基づいて説明する。
【００１３】  図においては、１は複数使用される磁石で、宇宙機２、地球３。
【００１４】  以下、上記構成の動作を説明する。
【００１５】  図１、本発明は、複数の、任意方向に回転可能な、真球体状の磁石、もしくは２軸以上のジンバルを使った磁石を使用するが、便宜上、真球体の磁石１で表す。Ｎ、Ｓは、それぞれＮ極、Ｓ極を示す。
【００１６】  図２、本体２に複数の磁石を個々に、任意の方向に回転可能な様に取り付ける。図２においては、便宜上、３個の場合の概念図。さらに図２は、個々の磁石１の磁力によるベクトルを、総和により打ち消す様に置かれた一例である。
【００１７】  図３、宇宙機２を地球３の北極に近付けようとする場合の一例、全ての磁石１のＳ極を北極に向けている。
【００１８】  以下、個々の磁石１を適宜回転させ、個々の磁石１の磁力によるベクトルの総和により、宇宙機２の回転、及び進行を制御する。
【符号の説明】
【００１９】  １  磁石
２  宇宙機
３  地球
【図１】
2017089655.tif 000003
【図２】
2017089655.tif 000004
【図３】
2017089655.tif 000005
(57)【要約】      （修正有）【課題】作業中、機械や材料に手袋がまき込まれたとき指の部分が取れ指や手の怪我を回避し安全な作業を提供する。【解決手段】作業用手袋１の指の部分３が機械や材料にまき込まれたとき分離部２より指の部分３が取れ、手が直接まき込まれない様にすることを特徴とする。【効果】本発明の作業用手袋は外観や装着感も通常の作業用手袋とは違う為、使用者がこの手袋を使わなければならない危険性を再認識でき、事故が発生した場合最小限の怪我で済む利点がある。【選択図】図２
2017089075.tif 000002
【特許請求の範囲】
【請求項１】
作業用手袋（１）の指部分（３）に分離部（２）を設けた、指の取れる作業手袋
【発明の詳細な説明】
【技術分野】
【０００１】  本発明は、作業中機械に手がまき込まれそうになった時、指の部分が取れる作業用手袋に関するものである。
【背景技術】
【０００２】  これまでの作業用手袋はすべりにくい、つかみやすい等の作業性や経済性重視が多く、安全性に関する物は少なかった。
【先行技術文献】
【特許文献】
【０００３】
【特許文献１】実開平０４−０５６７０９
【発明の概要】
【発明が解決しようとする課題】
【０００４】  従来の作業用手袋は、汚れ防止や小さな怪我の防止や作業性を重視し、強度や耐久性を有する為に指の先端が機械等に巻き込まれた際手袋が脱げず、指から手、腕と引き摺り込まれ指や手の切断など最悪の場合死亡事故となる場合が有る。本発明は、以上のような欠点をなくすためになされたものである。
【課題を解決するための手段】
【０００５】  本発明は機械や材料に作業用手袋（１）の指先が巻き込まれた際、重大事故発生の発端である手袋の指の部分（３）が取れることにより事故を最小限にすることを主要な特徴とする。
【発明の効果】
【０００６】  本発明の作業用手袋は外観や装着感も通常の作業用手袋とは違う為、使用者がこの手袋を使わなければならない危険性を再認識でき、事故が発生した場合最小限の怪我で済む利点がある。
【図面の簡単な説明】
【０００７】
【図１】本発明の作業用手袋外観図である。
【図２】本発明の作業用手袋指切断図である。
【図３】本発明の作業用手袋製造工程１図である。
【図４】本発明の作業用手袋製造工程２図である。
【図５】本発明の作業用手袋製造工程３図である。
【図６】本発明の作業用手袋製造工程４図である。
【発明を実施するための形態】
【０００８】  以下、本発明を実施するための形態について説明する。尚、作業用手袋（１）は編み込みの繊維製である。図１は作業用手袋の外観図であり、図２の様に５本指全てに分離部（２）を備え、強い力で引かれた場合指の部分が取れる構造である。
【０００９】  図３〜図６は構造が分かりやすいよう、分離部の製造工程を表したものである。
【００１０】  図３作業用手袋の指の部分（３）の分離部を作る部分へ、あらかじめ指の太さに広げる為の治具（４）を差し込む。
【００１１】  図４ゴム系塗料（５）を表と裏の両面に塗り乾燥させる。
【００１２】  図５治具（４）を取り出してゴム系塗料（５）を塗った部分に切り込み（６）を表裏に入れ、切り込み（６）の入れ方で切断の強さを調節する。
【００１３】  図６切り込み（６）の入ったゴム系塗料（５）の上へ再びゴム系塗料（７）を塗り、乾燥したら完成。
【００１４】  分離部（２）にゴム系塗料（５）を塗らないで切り込み（６）を入れると、作業用手袋の繊維が解れてしまう。又、治具（４）で指の太さに広げておかないと、ゴム系塗料（５）・（７）の伸縮性が悪いので指が入らず無理に入れると裂けてしまう。
【００１５】  分離部（２）は作業用手袋（１）の材質により、切り込み（６）以外に穴を複数あけたり溝をつけたり、又は分離したものを接着したりマジックテープやホックでとめるなどの方法も考えられる。
【符号の説明】
【００１６】  １．作業用手袋
２．分離部
３．指の部分
４．指の太さを広げる為の治具
５．ゴム系塗料（１回目）
６．切り込み
７．ゴム系塗料（２回目）
【図１】
2017089075.tif 000003
【図２】
2017089075.tif 000004
【図３】
2017089075.tif 000005
【図４】
2017089075.tif 000006
【図５】
2017089075.tif 000007
【図６】
2017089075.tif 000008
(57)【要約】【課題】  ストッキングやタイツを足部にて固定するための飾りベルトを使用しストッキングを固定し着用する。また飾りベルト使用時にベルト部に固定し易い様に引掛を先端部に付けたストッキングやタイツを使用する。ベルトとストッキングをそれぞれ個別の提供とすることで、使用者の意思によるベルトとストッキングの自由な組み合わせや、ベルトの固定位置を自由に選択できる形態にて提供する。【解決手段】  ベルト部の構造を１点にて連結した２重構造の圧着式として足部（腿又は脛）に固定し、ストッキングをはさむことで、留め位置の自由度を向上させファッションの表現幅を拡大した商品提供を実現する。ベルト部はゴム又は圧着性のある素材を使用することで、ベルトが着衣位置よりずれにくい構造とする。容易な着用を実現するために、挟み込みまたは折り返しでの結合方式を採用する。【選択図】図１
2017089037.tif 000002
【特許請求の範囲】
【請求項１】
ストッキング部を足部で固定するための、飾りベルト
【請求項２】
ベルト部を使用した場合に結合使用するための、引掛を組み入れたストッキング
【発明の詳細な説明】
【技術分野】
【０００１】
本発明はタイツやストッキングの足部での飾り留めベルトに関するものである
【背景技術】
【０００２】
現在、タイツやストッキングにおいて、両足一体での着用のタイプと両足分離（吊りベルト使用または未使用）のタイプが存在する。 両足一体での着用のタイプにおいては、片足部分が破損（伝線）した場合、使用者は当該のストッキングを廃棄とせざるを得ず、片足部分の破損による残部分の再利用が可能とならない。また両足分離タイプにおいては、ストッキング部と止め部（上部先端部）が一体となっており、片足のストッキングの破損（伝線）により片足のストッキングまたは両足分が使用できなくなる。
【０００３】
両足分離タイプのタイツやストッキングにおいては、製品の規格にて止める位置が固定となることと、ストッキング部と止め部の組み合わせの自由度がないことで、自由発想のファッション表現を妨げている。
【先行技術文献】
【非特許文献】
【０００４】
特開２０１３−５３３７９
【発明の概要】
【発明が解決しようとする課題】
【０００５】
タイツやストッキングの両足一体タイプまたは、両足分離タイプの部分破損時の残部分の再利用による損失金額の低減化。
【０００６】
破損しやすいストッキング部を個別提供とするため、製造コストが抑えられ低価格での提供が可能となる。
【０００７】
使用者の自由意思によるベルトとストッキングの組み合わせが行えることによる使用者および使用者層の拡大が望める。
【課題を解決するための手段】
【０００８】
ストッキング部とベルト部を別々に提供することで、２つの商品を組み合わせ使用する形態とする
【発明の効果】
【０００９】
タイツやストッキングの部分破損時に、残部分の再利用を可能とすることで、使用者の損失を低減する。
【００１０】
ストッキング部の製造コストが従来の両足一体より低価格の原価が実現できるため、低価格での市場提供が可能となる
【００１１】
ストッキング部とベルト部の組み合わせが自由となり、使用者によるファッションの自由表現が可能となることで、使用者層の拡大が望める。
【００１２】
止め部の位置を使用者の意思にて決定できることにより、使用者によるファッションの自由表現が可能となることで、使用者層の拡大が望める。
【図面の簡単な説明】
【００１３】
【図１】図１は使用時の全体図と結合の方式を表現した説明図である
【図２】図２ベルト部の構造を表現した説明図である。
【図３】図３ストッキング部の構造を表現した説明図である。
【発明を実施するための形態】
【００１４】
ベルト部と、ストッキング部（足部）を別々にて提供を行う
【符号の説明】
【００１５】
１   ベルト部  ２  ストッキング部
【図１】
2017089037.tif 000003
【図２】
2017089037.tif 000004
【図３】
2017089037.tif 000005
【手続補正書】
【提出日】平成28年8月25日(2016.8.25)
【手続補正１】
【補正対象書類名】特許請求の範囲
【補正対象項目名】請求項１
【補正方法】変更
【補正の内容】
【請求項１】
ストッキング（請求項２にて記載した、先端に引掛を付けた固定し易い形状のストッキング、または、片破損したストッキングの残部分を切断し使用するもの）を、１点にて連結した２重構造の圧着方式にて挟み込む機能で連結（請求項２の連結時においては接合部の引掛を接合する溝を構造上備えることで強固な固定制を発生）することで、着用する人の足部にストッキングを固定するための、飾り付きベルト。
【手続補正書】
【提出日】平成28年10月23日(2016.10.23)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
ストッキング（請求項２にて記載した、先端に引掛を付けた固定し易い形状
のストッキング、または、片破損したストッキングの残部分を切断し使用
するもの）を、１点にて連結した２重構造の圧着方式にて挟み込む機能で
連結（請求項２の連結時においては接合部の引掛を接合する溝を構造上備
えることで強固な固定制を発生）することで、着用する人の足部にストッ
キングを固定するための、飾り付きベルト。
【請求項２】
ベルト部を使用した場合に結合使用するための、引掛を組み入れたストッキング
(57)【要約】【課題】既存のプラグ（オス）をジャック（メス）に差し込みした時どうしても、プラグ（オス）とジャック（メス）には、其々に方向性（配置方向に対して左右）があり、これらの方向性を考慮・視野することなく、即プラグ（オス）を挿入出来る器具（ジャック（メス））はありませんでした。本発明は、これらの欠点を無くす為に、使用する本人がプラグ（オス）とジャック（メス）の方向性の確認が面倒な即認識不可の方、又目の不自由な方、手先がおぼつかない方でもプラグ（オス）をジャック（メス）に差し込みする事で、本人が何ら考慮することなく、スムーズに挿入出来る器具として、対応し、なされた器具である。【解決手段】ジャック部（メス）の端子形状を従来の仕様の様にシングル形状（配置方向に対して、左右１対）じゃなく、これに差し込むプラグ（オス）の方向性に関係なく、ジャック部（メス）のジャック端子形状をダブル（配置方向に対して、左右２対）仕様とする。【選択図】図１
2017168418.tif 000002
【特許請求の範囲】
【請求項１】
（イ）ＩＴ関係のコネクタ−通常Ａタイプ（パソコン側につなぐ端子）と呼称されるジャック部（メス）の端子形状をダブル（配置方向に対して、左右２対）仕様とする。この使用範囲は、該当する全ての通常Ａタイプ（パソコン側につなぐ端子）と呼称されるジャック部（メス）に適用され、所謂例えば、ＵＳＢ等フラッシュメモリーのプラグ（オス）等を含め、挿入されるジャックの端子形状の仕様の事でありジャック部（メス）の形状変更により、プラグ差し込みが楽々である。又設置する器具等の種類等についてもプラグ（オス）の種類・方式等は、一切限定しないとされたジャック部（メス）の形状変更のことである。
（ロ）プラグ（オス）の仕様によって、ジャック部（メス）の仕様は、異なるが、あくまでもこのジャック部（メス）の端子形状の仕様は、ジャック部（メス）の端子形状をダブル（配置方向に対して、左右２対）仕様とされたジャック部（メス）の形状変更である。
（ハ）ジャック部（メス）のジャック端子形状をダブル（配置方向に対して、左右２対）仕様にする事によって、取り付け器具本体の形状、高さ、長さ、大きさ、材質、色彩、厚さ、重量、塗装等の仕様については、限定しないとされたジャック部（メス）の形状変更である。
（ニ）この取り付け器具本体に設置するダブル（配置方向に対して、左右２対）仕様のジャック（メス）の個数、位置、場所等の仕様については、限定しないとされたジャック部（メス）の形状変更である。
（ホ）ジャック部（メス）のジャック端子形状をダブル（配置方向に対して、左右２対）仕様とされた取り付け器具本体の仕様については、従来の既存端子形状と同居又は一部分ダブル端子形状と併用等その個数・割り当て・位置、場所等の仕様については、限定しないとされたジャック部（メス）の形状変更である。
（ヘ）ジャック（メス端子形状のダブル仕様については、この形状、高さ、長さ、大きさ、材質、色彩、厚さ、重量、塗装等の仕様については、限定しないとされたジャック部（メス）の形状変更である。
（ト）ジャック（メス）のダブル（配置方向に対して、左右２対）端子形状について又これに差し込む既存のプラグ（オス）自体の仕様については、原則的には、限定しない。あくまでも差し込みした時の既存プラグ（オス）の方向性に関係なく柔軟に対応する為にジャック部（メス）のジャック端子形状をダブル（配置方向に対して、左右２対）仕様とされたものであるジャック部（メス）の形状変更である。
（チ）ジャック部（メス）端子形状をダブル（配置方向に対して、左右其々２個あり）仕様とすることにより、これに差し込む既存のプラグ（オス）と取り合いしない片側のジャック（メス）端子形状は、放電等又プラグ（オス）及びダブル（配置方向に対して、左右２対）仕様とされた取り付け器具本体の器具に悪影響（例えばホコリ等に汚染）されない仕様とされたジャック部（メス）の形状変更である。又その方策・対処方法、仕様等については、限定しないとされたジャック部（メス）の形状変更である。
【発明の詳細な説明】
【技術分野】
【０００１】この発明は、コネクタ−通常Ａタイプ（パソコン側につなぐ端子）と呼称される、ジャック部（メス）の端子形状を従来のシングル形状（配置方向に対して左右１対）の様にひとつじゃなく、プラグ（オス）をジャック（メス）に差し込みした時プラグ（オス）の方向性）に関係なく、ジャック部（メス）にプラグ（オス）がスムーズに挿入されるように作られた器具であります。
【背景技術】
【０００２】従来のジャック部（メス）の端子形状は、シングル形状（配置方向に対して、左右１対）の様にひとつで有り、これを受け入れるジャック部（メス）の形状は、其々用途に応じて千差万別数多くありました。
【発明が解決しようとする課題】
【０００３】これは次のような欠点があった。
例えば、既存のプラグ（オス）をジャック（メス）に差し込みした時どうしても、プラグ（オス）とジャック（メス）には、其々に方向性（配置方向に対して左右）があり、この方向性を視野に入れて、考慮することなく、即プラグ（オス）を挿入出来る器具（ジャック（メス））はありませんでした。
本発明は、これらの欠点を無くす為に、使用する本人がプラグ（オス）の方向性の確認が面倒で即認識不可の方、又目の不自由な方、手先がおぼつかない方でも、この方向性を視野に入れて、考慮することなく、プラグ（オス）をジャック（メス）に差し込みする事で、本人が何ら考慮することなく、スムーズに挿入出来る器具として、対応し、なされた器具である。
【課題を解決する為の手段】
【０００４】ジャック部（メス）の端子形状を従来の仕様の様にシングル形状（配置方向に対して左右一対）の様にひとつではなく、これに差し込むプラグ（オス）の方向性に関係なく、プラグ（オス）をジャック（メス）に差し込みした時ジャック部（メス）のジャックの端子形状をダブル（配置方向に対して、左右２対）仕様とする。
【発明の効果】
【０００５】使用する本人がプラグ（オス）の方向性の面倒な認識不可の方、又目の不自由な方、手先がおぼつかない方でも、自然にプラグ（オス）をジャック（メス）に差し込みする事が出来る様になり、本人が何ら考慮することなく、スムーズに挿入出来ることで、簡単に接続が出来る様になった。
【発明を実地する為の最良の形態】
【０００６】以下。本発明を実地する為の最良の形態について説明する。
既存のプラグ（オス）の方向性に関係なく、プラグ（オス）をジャック（メス）差し込みした時このジャック部（メス）のジャック端子形状をダブル（配置方向に対して、左右２対）仕様とすることにより、初めて発明の機能を実地する事が可能であり、これが最良の形態である。
【図面の簡単な説明】
【０００７】
【図１】本発明の平面図と立面図、側面図である。
【図２】本発明のあいそめ図である。
【符号の説明】
【０００８】１    コネクタ−通常Ａタイプのジャック部（メス）
２    プラグ（オス）
３    ジャック部のダブル（配置方向に対して、左右２対）仕様のジャック端子形状
４    ジャック部の既存仕様のジャック（配置方向に対して、左右１対）端子形状
５    ＵＳＢ等のプラグ（オス）
６    携帯電話等（ＩＯＳ，アンドロイド）プラグ（オス）
７    タブレット等のプラグ（オス）
【図１】
2017168418.tif 000003
【図２】
2017168418.tif 000004
(57)【要約】      （修正有）【課題】既存のプラグ（オス）をジャック（メス）に差し込みした時、方向性を考慮することなく、即プラグ（オス）を挿入出来る器具（ジャック（メス））を提供する。【解決手段】ジャック（メス）の金物受け口形状を平行四辺形の形状の仕様として、この中の中心に位置する様に、既存の形状の端子盤の受け舌を水平にする又プラグ（オス）の金物形状を平行四辺形の形状の仕様として、この中の中心に位置する様に、既存の形状の端子盤の受け舌に挿入する受け口を水平に設置する事により目的は達成されます。【選択図】図１
2017168417.tif 000002
【特許請求の範囲】
【請求項１】
（イ）ＩＴ関係のコネクター通常アンドロイドと呼称されるジャック部（メス）とこれに差し込むプラグ（オス）の端子形状の仕様の事であり、設置してある機種等の種類についても全てに、適応されたアンドロイドのジャック部（メス）とプラグ（オス）の形状である。
（ロ）ジャック部（メス）の金物受け口形状を既存のカマボコ型にしないで、並行四辺形の形状の仕様として、この中の中心に位置する様に、既存の形状の端子盤の受け舌を水平にする仕様とされたアンドロイドのジャック部（メス）の形状である。
（ハ）特許請求（ロ）に差し込むプラグ（オス）の金物形状を既存のカマボコ型にしないで、並行四辺形の形状の仕様として、この中の中心に位置する様に、特許請求（ロ）の受け舌に挿入する受け口を水平に設置する仕様とされたアンドロイドのプラグ（オス）の形状である。
（ニ）ジャック部（メス）の金物受け口と端子盤の受け舌の形状又差し込むプラグ（オス）の金物形状と特許請求（ロ）の受け舌に挿入する受け口については、高さ、長さ、大きさ、材質、色彩、厚さ、重量、塗装等の仕様については、限定しないが、ジャック部（メス）とプラグ（オス）は、マッチングして、支障ない構造仕様とされたアンドロイドのジャック部（メス）とプラグ（オス）の形状である。
【発明の詳細な説明】
【技術分野】
【０００１】この発明は、アンドロイドと呼称されるジャック部（メス）の形状とこれに差し込むプラグ（オス）に該当する全ての端子形状の仕様の事であり、ジャック部（メス）にプラグ（オス）がスムーズに挿入されるように作られた器具であります。
【背景技術】
【０００２】従来のジャック部（メスの）金物受け口はカマボコ型形状であり、又プラグ（オス）の金物形状もカマボコ型になっており、これらは、其々にカマボコ型の為に方向性が有り、この２つを接続させるには、事前に良く見て上下の方向性を確認してからでないと、接続できませんでした。
【発明が解決しようとする課題】
【０００３】これは次のような欠点があった。
例えば、アンドロイドには、既存のプラグ（オス）をジャック（メス）に差し込みした時どうしても、プラグ（オス）とジャック（メス）には、其々にカマボコ型の為に方向性が有り、この方向性を視野に入れて、考慮することなく、即プラグ（オス）を挿入出来る器具（ジャック（メス））はありませんでした。
本発明は、これらの欠点を無くす為に、使用する本人がプラグ（オス）の方向性の確認が面倒で即認識不可の方、又目の不自由な方、手先がおぼつかない方でも、この方向性を視野に入れて、考慮することなく、プラグ（オス）をジャック（メス）に差し込みする事で、本人が何ら考慮することなく、スムーズに挿入出来る器具として、対応し、なされた器具である。
【課題を解決する為の手段】
【０００４】ジャック部（メス）の金物受け口形状を並行四辺形の形状の仕様として、この中の中心に位置する様に、既存の形状の端子盤の受け舌を水平にする又プラグ（オス）の金物形状を並行四辺形の形状の仕様として、この中の中心に位置する様に、既存の形状の端子盤の受け舌に挿入する受け口を水平に設置する事により目的は達成されます。
【発明の効果】
【０００５】使用する本人がジャック部（メス）とプラグ（オス）の方向性の面倒な認識不可の方、又目の不自由な方、手先がおぼつかない方でも、ＩＯＳ携帯接続の様に自然にプラグ（オス）をジャック（メス）に差し込みする事が出来る様になり、本人が何ら考慮することなく、スムーズに挿入出来ることで、簡単に接続が出来る様になった。
【発明を実地する為の最良の形態】
【０００６】以下。本発明を実地する為の最良の形態について説明する。
ジャック部（メス）の金物受け口形状を並行四辺形の形状の仕様として、この中の中心に位置する様に、既存の形状の端子盤の受け舌を水平にする又プラグ（オス）の金物形状を並行四辺形の形状の仕様として、この中の中心に位置する様に、既存の形状の端子盤の受け舌に挿入する受け口を水平に設置する事により、初めて発明を実地する為のこれが最良の形態である。
【図面の簡単な説明】
【０００７】
【図１】本発明の平面図と立面図、側面図である。
【図２】本発明のあいそめ図である。
【符号の説明】
【０００８】１    ジャック部（メス）既存品（カマボコ型）
２    ジャック部（メス）発明品
３    プラグ（オス）既存品（カマボコ型）
４    プラグ（オス）発明品
５    ジャック部（メス）既存の形状の端子盤の受け舌
６    プラグ（オス）既存の形状の端子盤の受け舌に挿入する受け口
７    充電器等のジャック部（メス）
８    携帯電話等のジャック部（メス）
９    タブレット等のジャック部（メス）
【図１】
2017168417.tif 000003
【図２】
2017168417.tif 000004
(57)【要約】【課題】  リチウムはレアメタルで、地球上でのその存在量は他の物質に比べると少なく、リチウムの鉱石も地球上に偏在し、この鉱石も数年後には枯渇する。しかも、リチウムイオン電池とほぼ同じ起電力を発生する電池の電極となる物質・材料は見つかっていない。この為、リチウムの様なレアメタルを使わずに、地球上に偏在する事無く普遍的に存在し、安全であり、今までにその物質・材料の使用データが有り、その存在量も無尽蔵に在る物質・材料を電池の電極に使う。【解決手段】  この為、この発明においては、リチウムイオン電池とほぼ同じ起電力を発生する電池の電極の組み合わせとして、正極に二酸化鉛を使い、負極にマグネシウム合金を使う。電解質に希硫酸を使い、二酸化鉛の硫酸に対する起電力は２５℃で  ＋１．６９８Ｖ  であり、マグネシウムの水素イオンに対する起電力は  −２．３５６Ｖ  であり、この電極の組み合わせでの起電力は２５℃で  ４．０５４Ｖ  となる。マグネシウムは海水中に無尽蔵に在り、その塩化物は「にがり」で、豆腐に入れて食べても安全であり、二酸化鉛は自動車のバッテリー・鉛蓄電池の正極の材料として使用されていて、データも有り、自動車の走行が鉛蓄電池の性能試験をしている様な物である。鉛や二酸化鉛の電流に対する容量や充電速度も鉛蓄電池の使用実績から十分であり、鉛蓄電池はＤＩＹセンター等にありふれている。使った電解質が希硫酸であり、寒冷地での鉛蓄電池の性能データもある。【選択図】なし【特許請求の範囲】
【請求項１】
マグネシウム合金を使った二次電池
【発明の詳細な説明】
【技術分野】
【０００１】  この発明は二次電池の電極に関する。
【発明の概要】
【０００２】  この発明は、電池の電極の材料にリチウムの替わりにマグネシウム合金を使った、リチウムイオン電池とほぼ同じ起電力を発生する二次電池用の電極の材料の組み合わせ・作り方である。
【背景技術】
【０００３】  今までのリチウムイオン電池は、リチウム電極の製造が難しく、また、リチウムはレアメタルで、地球上でのその存在量は他の物質に比べると少なく、リチウムの鉱石も地球上に偏在し、この鉱石も数年後には枯渇する。しかも、リチウムイオン電池とほぼ同じ起電力を発生する電池の電極となる物質・材料は見つからなかった。
【発明の開示】
【発明が解決しようとする課題】
【０００４】  リチウムはレアメタルで、地球上でのその存在量は他の物質に比べると少なく、リチウムの鉱石も地球上に偏在し、この鉱石も数年後には枯渇する。しかも、リチウムイオン電池とほぼ同じ起電力を発生する電池の電極となる物質・材料は見つかっていない。この為、リチウムの様なレアメタルを使わずに、地球上に偏在する事無く普遍的に存在し、安全であり、今までにその物質・材料の使用データが有り、その存在量も無尽蔵に在る物質・材料を電池の電極に使う。
【課題を解決するための手段】
【０００５】  この為、この発明においては、リチウムイオン電池とほぼ同じ起電力を発生する電池の電極の組み合わせとして、正極に二酸化鉛を使い、負極にマグネシウム合金を使う。電解質に希硫酸を使い、二酸化鉛の硫酸に対する起電力は２５℃で  ＋１．６９８Ｖ  であり、マグネシウムの水素イオンに対する起電力は  −２．３５６Ｖ  であり、この電極の組み合わせでの起電力は２５℃で  ４．０５４Ｖ  となる。マグネシウムは海水中に無尽蔵に在り、その塩化物は「にがり」で、豆腐に入れて食べても安全であり、二酸化鉛は自動車のバッテリー・鉛蓄電池の正極の材料として使用されていて、データも有り、自動車の走行が鉛蓄電池の性能試験をしている様な物である。鉛や二酸化鉛の電流に対する容量や充電速度も鉛蓄電池の使用実績から十分であり、鉛蓄電池はＤＩＹセンター等にありふれている。使った電解質が希硫酸であり、寒冷地での鉛蓄電池の性能データもある。
【発明の効果】
【０００６】  この発明により、リチウムイオン電池よりも超低価格でほぼ同じ起電力の二次電池が製造でき、この電池をハイブリッド車等に使えば、同じ性能・燃費のハイブリッド車が低価格で購入出来る。この為、さらに車のデザインや内装等にもコストをかけられる。
(57)【要約】      （修正有）【課題】リモコンの混線を防ぎつつ、リモコンにスピーカ又はそれに代わる音声発信機が付設されている学習型スピーカー付ＴＶリモコンを提供する。【解決手段】ＴＶリモコンはスピーカを内臓し、リモコン本体からケーブルを介した限定照射型赤外線送信部、音声ケーブル（有線とすることで紛失、混在等を防ぐ）、およびテレビ／ＡＣコンセント／電池のいづれかから電源を取り込み可能な電源ケーブルを備える。【選択図】図１
2017168952.tif 000002
【特許請求の範囲】
【請求項１】
ＴＶの機種に依ることなく  
（１）リモコンの混線を防ぎつつ  操作可能なＴＶリモコン
（２）リモコンにスピーカ又はそれに代わる音声発信機が付設されている
（３）電源の選択が可能
これらの要素を全て兼ね備えたＴＶリモコン
【発明の詳細な説明】
【技術分野】
【０００１】
本発明はTVリモコンに関するものである
【背景技術】
【０００２】
TVリモコンにおける背景技術として
赤外線通信を用いたTVの操作
ケーブル付スピーカ
などがある
【先行技術文献】
【特許文献】
【０００３】
【特許文献１】特開平５−１７６１９５
【非特許文献】
【０００４】
【非特許文献１】特願平８−４６７３３
【発明の概要】
【発明が解決しようとする課題】
【０００５】
複数台のＴＶが設置されている場所で同時に視聴する際
（１）リモコンの混線が起こる
（２）混線防止対応したＴＶへの買換えには費用がかかる
（３）別番組を視聴する際  音声の混濁を防ぐにはイヤホンなどが必要
（４）音量を小さくして回りへの配慮が必要
（５）リモコンの取り間違い  紛失が発生し易い
などの課題があった
【課題を解決するための手段】
【０００６】
（１）通信波（赤外線など）の拡散を起こさない事で混線させない
（２）ＴＶの買換を行わないことで  費用負担を減らし
（３）イヤホンを使用しない（イヤホンが嫌な人がいるという可能性）束縛を解除し
（４）小型スピーカを設置によりＴＶの音量を大きくすることなく聞こえ
（５）有線式とすることで  取り待ち上げ  紛失などを起こさない
なども問題点を解決できる
【発明の効果】
【０００７】
本発明によれば  それぞれの問題を解決することができ
複数台のＴＶを同時視聴する際のみならず  
集合住宅での騒音問題などの解消にも効果がある。
【図面の簡単な説明】
【０００８】
【図１】図１は  本発明品単体での構成図である。スピーカ付のリモコン本体リモコンからケーブルを介して  赤外線発信部  電源  音声ケーブル（イヤホンジャック付）となる
【図２】図２は  テレビとの接続を表した図である。
【発明を実施するための形態】
【０００９】
図１に示す様に  本発明は  ＴＶリモコンにスピーカ及びイヤホンジャックを付加した上で
限定照射型赤外線送信部／音声ケーブル／電源ケーブルの３つの要素を一体型としたことにある。
それぞれの要素が解決する課題について以下に記す
（１）ＴＶリモコンに付加したスピーカに依り  音声を耳元近くで聴く事が可能となり  複数台の同時視聴時における
音声の混濁を防ぐことが可能である。更にＴＶリモコンに付加されたイヤホンジャックを使用することでイヤホンの使用も可能である。
（２）限定照射型赤外線照射部をケーブルの先端に設置。これをＴＶの赤外線受審部に貼り付ける事で
他機からの誤受信を防ぎつつ  ＴＶの操作が可能となった  ＴＶの改造を必要としない為  
ＴＶの買換えなどの必要もない
（３）音声ケーブルはＴＶリモコンに付加されたスピーカ用である
（４）電源ケーブル先端には  ＵＳＢ端子を設置している。  リモコン本体には電池ＢＯＸを備えており
電源取得方法として
ＵＳＢ接続／ＡＣアダプタ（ＵＳＢ端子へ接続する）／乾電池  の３種類の方法から選択可能である
本発明品は  ＴＶを複数台設置する場所（例：入院病棟  透析室  献血ルーム  健康センター  待合室）での
使用に適しており  使用者の利便性の向上  施設者の投資の抑制  管理者の管理し易さなどの効果がある
更に  騒音問題の起こりえる場所(例：アパート等の集合住宅など）でも  問題の解決につながるものである
【図１】
2017168952.tif 000003
【図２】
2017168952.tif 000004
(57)【要約】      （修正有）【課題】簡易な構成でドローン墜落防止、飛行範囲を物理的に制御でき、また、大規模にならない設備を提供する。【解決手段】ドローン６を落下防止、飛行範囲制御を物理的に施す、ドローン落下防止装置であって、ドローン下側に落下防止ケーブル７を取り付け、ドローン台座４上側へ配置し、伸縮ポール３で上げる高さと同等の長さの位置に、飛行前地点ケーブル止めフックを落下防止ケーブル７に取り付ける。伸縮ポール３を伸縮させ上げ、飛行前地点ケーブル止めフックを取外し、飛行範囲可能な距離を決め、飛行後地点ケーブル止めフック９を落下防止ケーブル７に取り付け、ドローンを飛行させる。上記の作業により、飛行時に落下、もしくは飛行範囲外へ飛行しようとしても、伸縮ポール台座ケーブル通し穴１１にフックが止まり落下の防止、飛行範囲を制御する。【選択図】図５
2017141009.tif 000002
【特許請求の範囲】
【請求項１】
地面の上に自立するポールを設置し、上方にドローンを設置する台座を設け、ケーブルをポール下側通し穴から筒内部を通って、ポール上側の台座通し穴へ通し、そのケーブルをドローンに連結する、ことを特徴とするドローン落下衝突防止装置。
【請求項２】
請求書１において、ポール長は２０ｍ以内、ドローンの飛行範囲は１０ｍ以内である、ことを特徴とするドローン落下衝突防止装置。
【請求項３】
請求書１において、ポールはドローンの重量および落下の衝撃に耐えられるものとする。
【発明の詳細な説明】
【技術分野】
【０００１】  本発明は、ドローンの落下防止装置に関するものである。
【背景技術】
【０００２】  ドローンは自律飛行可能な無人航空機である。近年、一般に市販されドローンは容易に入手できるようになった。しかしドローンは上空を飛行する際、物理的に墜落を防止する装置は備わっていない。飛行範囲は限られるが飛行地域により物理的な墜落防止策が必要である。
【発明の概要】
【発明が解決しようとする課題】
【０００３】  以上のような従来のドローンには、次のような解決すべき課題があった。
１．故障、操作不能による墜落。
２．故意に区域外への飛行。【０００４】  本発明は、簡易な構成でドローンの墜落、飛行範囲を物理的に制御でき、また、大規模な設備を必要としないため移動が容易である。
【課題を解決するための手段】
【０００５】  本発明は課題を解決するために、地上に本発明を設置しドローンを連結することにより、物理的に地面への墜落防止、区域外への飛行を制御するものである。
【発明の効果】
【０００６】  上述したように本発明の落下防止装置は、地面への落下を防止するとともに、意図しない区域以外への飛行を防ぐことにより、周辺施設、人へ安全を提供できる。
【図面の簡単な説明】
【０００７】
【図１】設置具体的斜視図
【図２】設置具体的断面図
【図３】伸縮ポール３最大伸縮具体的斜視図
【図４】伸縮ポール３最大伸縮具体的断面図
【図５】伸縮ポール３最大伸縮、ドローン６飛行時具体的斜視図
【図６】伸縮ポール３最大伸縮、ドローン６飛行時具体的断面図
【図７】ドローン６落下時斜視図
【図８】ドローン６落下時断面図
【発明を実施するための形態】
【０００８】  以下、本発明の実施の形態を図１〜図８に基づいて説明する。
【０００９】  図１において、１は伸縮ポール土台で、その上にポール２、伸縮ポール３、ドローン台座４がある。ドローン台座ケーブル通し穴１０と伸縮ポール台座ケーブル通し穴１１に落下防止ケーブル７が通してある。
【００１０】また、７の落下防止ケーブルには、飛行前地点ケーブル止めフック８と飛行後地点ケーブル止めフックを取り付ける。
【００１１】  ５は衝突保護カゴで、ドローン６の上部に取り付ける。
【００１２】  図２は、図１の断面図であって図１と同様である。
【００１３】  以下、上記構成の動作を説明する。衝突保護カゴ５とドローン台座ケーブル通し穴１０から通した落下防止ケーブル７をドローン６に取り付け、ドローン台座５へ固定する。伸縮ポール３が伸縮する際に、ドローン台座５からドローン６が落下を防止するため、飛行前地点ケーブル止めフック８を落下防止ケーブル７に取り付ける。飛行前地点ケーブル止めフック８は、ポール２、伸縮ポール３を足した全長と同じ長さに取り付けることにより、伸縮ポール３が伸縮中でもドローン６は地面に衝突しない。
【００１４】  こうした構造にすれば、ドローン６は飛行前にドローン台座５から落下しても、ポール２、伸縮ポール３の高さよりも下に落下せず地面衝突を防ぐ。
【００１５】  図３は、伸縮ポール３が最大まで伸びた場合、飛行前地点ケーブル止めフック８が伸縮ポール台座ケーブル通し穴１１に止まる為、ドローン６がドローン台座４より落ちた場合でも、地面への衝突を防ぐ。
【００１６】  図４は、図３の断面図であって図７と同様である。
【００１７】  図５は、伸縮ポール３が最大まで伸び、かつドローン６が飛行可能距離まで飛行した場合、飛行後地点ケーブル止めフック９がポール台座ケーブル通し穴１１に止まる為、ドローン６がケーブル長より範囲外の飛行を制御する。
【００１８】  図６は、図５の断面図であって図７と同様である。
【００１９】  図７は、ドローン６が飛行時に落下した際に、飛行後地点ケーブル止めフック９がポール台座ケーブル通し穴１１で止まることにより、ドローン６の地面衝突への落下を防ぐ。
【００２０】  図８は、図７の断面図であって図７と同様である。
【００２１】図１〜図８の実施例は、１段階の伸縮機構を有したポールを使用しているが、伸縮機構が無いポール、多段の伸縮機構を備えたポールでも構わない。
【符号の説明】
【００２２】  １    伸縮ポール土台
２    ポール
３    伸縮ポール
４    ドローン台座
５    衝突保護カゴ
６    ドローン
７    落下防止ケーブル
８    飛行前地点ケーブル止めフック
９    飛行後地点ケーブル止めフック
１０  ドローン台座ケーブル通し穴
１１  ポール台座ケーブル通し穴
【図１】
2017141009.tif 000003
【図２】
2017141009.tif 000004
【図３】
2017141009.tif 000005
【図４】
2017141009.tif 000006
【図５】
2017141009.tif 000007
【図６】
2017141009.tif 000008
【図７】
2017141009.tif 000009
【図８】
2017141009.tif 000010
(57)【要約】      （修正有）【課題】線材は、重量物であり、線状のものを不規則にコイル状に巻いた形状であるため、海上コンテナーでの輸送ができなかったが、コンテナー内への積載を可能にした架台を提供する。【解決手段】架台は下記の特徴を持つ。１．海上コンテナーに線材積載を可能にした。２．海上輸送での錆・ハンドリング傷を架台の構成部材の組み合わせより解決。ＬＶＬ材：含水量の低い合成材使用でコンテナー内の湿気を抑え錆発生防止。緩衝材となる２層構造による貨物傷の低減。建設仮設用足場管：ベースの骨組みとして剛性確保し、移動の際、直接重機が貨物に触れることなく、ハンドリング傷を防止する。３．だれでも電動工具一つで、組み立て・解体可能。４．リサイクル可能な構成部材を使用。鋼製部材はすべて汎用性のあるもので、取り換えが容易で安価。５．日米間（神戸‐シカゴ間）で積載実験で実用に耐えることを実証。【選択図】図１
2017141059.tif 000002
【特許請求の範囲】
【請求項１】
線材（Ｓｔｅｅｌ  Ｗｉｒｅ  Ｒｏｄｓ）と呼ばれる鋼材、重量物で、線状のものを不規則にコイル状に巻いた形状の材料を、安全でかつ簡便に固縛する架台を発明したことにより、
１．定期船の海上コンテナー積載方法を確立したこと。
２．海上輸送にて恒常的に発生していた結露による錆問題を架台の構成部材を工夫することにより、錆の発生を抑え込んだこと。
○ＬＶＬ材使用と鋼製部材使用：湿気対策と剛性保持
３．構造の工夫：ベースの骨組みと貨物に直接接触する部材との２層構造の考案。
○ベースの骨組み：輸送中の振動、揺れの受け皿であり、重機による搬入・搬出に際しての機材の接触場所……輸送中の傷、ハンドリング傷の低減
○貨物直接接触部材：ＬＶＬ材により貨物を受け止める
○構造工夫：ＬＶＬ材（７５ｍｍ）と建設仮設用鋼製足場管（４８．６φ）の寸法差を設けることで、貨物と建設仮設用鋼製足場管との接触を避ける方法考案。…断面図参照
４．リサイクル可能な鋼製部材を使用。組み立て・解体がクランプ止め電動工具一つでできること。
ベースの骨組み構成部材は、▲１▼建設用仮設鋼製足場管、▲２▼直交クランプ（継手）であり、産業界で広く、繰り返し利用される部材として認知されている。これを応用した。
このことにより、米国から部材を回収する際、解体をすることにより、体積で１／１０となるため容易にかつ低コストでの回収が可能となり、リサイクルが運用面でも可能となる。
【発明の詳細な説明】
【技術分野】
【０００１】この発明は、線材（Ｓｔｅｅｌ  Ｗｉｒｅ  Ｒｏｄｓ）を海上コンテナーに積載するための架台に関するものである。
【背景技術】
【０００２】線材（Ｓｔｅｅｌ  Ｗｉｒｅ  Ｒｏｄｓ）は、様々な用途に使われる素材であるため、海外に大量に輸出され使用されている。しかしながら、輸送途中における錆の発生並びにハンドリングによる傷が発生していた。【０００３】線材（Ｓｔｅｅｌ  Ｗｉｒｅ  Ｒｏｄｓ）の形状は、重量物（１コイル２トン前後）で、線状の鉄線を不規則にコイル状に巻いた円筒形したものである。このため、転びやすく、不安定な貨物とされ、海上コンテナーでの積載・運送には、適さないものとされていた。【０００４】この貨物の輸送形態は、在来船と呼ばれる不定期航路船を利用するものであった。不定期であるため、貨物の荷揃え数量の多寡によるため定期的な運航が望めず、航海日数も定期船（コンテナー船）と比べ長くかかっていた。
【先行技術文献】
【特許文献】
【発明の概要】
【発明が解決しようとする課題】
【０００５】従来の方法は、次のような欠点があった。
１．輸送途中にて錆並びにハンドリング傷が恒常的に発生する。
２．貨物の形状が丸い円筒形であるため、扱いにくく、固縛しにくいものであった。
３．不定期船の輸送手段によるため、顧客の納期ではなく、船のスケジュールに左右される。かつ長い航海日数のため、リードタイムが短縮できない。
【課題を解決するための手段】
【０００６】▲１▼貨物の不安定な形状を以下の「架台」を利用して安定させる。
▲２▼架台は、全体の重量を支えるベースの骨組みと貨物と直接接触する部材で構成される。
▲３▼構成部材を、ベースの骨組み：建設用仮設資材の鋼製足場管にて構成、貨物に直接接触する部材をＬＶＬ材（ｌａｍｉｎａｔｅｄ  Ｖｅｎｅｅｒ  Ｌｕｍｂｅｒ）を使用する。
▲３▼定期船の海上コンテナーに積載可能となる形状をしている。
【発明の効果】１．海上コンテナーへの積載の前に、貨物を架台に固縛して、安定した貨物とすることで、コンテナー内での作業軽減、搬入・搬出が安全で容易なものとなった。
２．海上コンテナーにて顧客玄関先まで搬送できることにより、ハンドリング回数の激減するとともに、ハンドリングの機材（リフトの爪や吊ワイヤーロープなど）で直接貨物への接触を避けたことにより、ハンドリング傷をなくした。
３．架台は、鋼製足場管とＬＶＬ材（含水量がもっとも低い合成材）で構成されているため、海上コンテナー内で発生する湿気の元を抑えたことにより、錆問題を解決。
４．定期船である海上コンテナーに積載により、顧客の納期に合わせた出荷、リードタイムの短縮が可能となる。
【図面の簡単な説明】
【０００７】
【図１】  斜視図
【図２】  断面図
【図３】  実施例
【発明を実施するための形態】
【０００８】実際の海上コンテナーに考案架台の有効性及び効果を検証するため、２０１３年１０月より実験を開始、約２０００台の架台を作成、日米間の海上コンテナー輸送に適用した。
【実施例】
【０００９】▲１▼前述のとおり、日米間（神戸‥シカゴ間）２０１３年１０月〜２０１５年１２月まで、１４，０４９．７トン４０ＦＴ  ７８０本の海上コンテナーに積載した。
▲２▼海上コンテナー内の輸送中における温度・湿度・結露温度の推移を見るため、データーロガーを貨物と同梱し、計測した。結果は、結露温度に庫内温度が達することが少なく、ほぼ結露発生が見られない状態であり、現地到着地シカゴでも錆の発生は確認できなかった。
▲３▼架台の剛性、安定性、堅牢さ、リサイクルの可能性等、日米両方で搬入・搬出にて検証した結果、構成部材の破損率は、非常に低く（３０台／２０００台：１５％）再利用可能であることが判明した。
【産業上の利用可能性】
【００１１】本考案の架台は、特殊鋼材貨物である線材（Ｓｔｅｅｌ  Ｗｉｒｅ  Ｒｏｄｓ）の積載用架台として、海上コンテナーへの積載への門戸開いたことに大きな貢献があり、海外現地生産が進む自動車や精密機器などの部品材料となる線材（Ｓｔｅｅｌ  Ｗｉｒｅ  Ｒｏｄｓ）の有効な供給方法として、迅速な定期的な海上コンテナー輸送の特徴を生かすものであり、従来の輸送品質レベルを格段に改善した手法を確立するものである。
【符号の説明】１  主部材  足場管（４８．６φＸ１．８ｔＸ２０００ｍｍ）              ２本
２  横部材  足場管（４８．６φＸ１．８ｔＸ１０００ｍｍ）              ４本
３  直交クランプ（継手）４８．６足場管専用                            ８ヶ
４  合成角材（ＬＶＬ）燻蒸処理不要材  ７５ｍｍＸ７５ｍｍＸ２０００ｍｍ  ２
【図１】
2017141059.tif 000003
【図２】
2017141059.tif 000004
【図３】
2017141059.tif 000005